(57)【要約】      （修正有）【課題】非同期網と同期網が混在した移動通信システムにおけるハンドオーバー方法の提供。【解決手段】非同期及び同期交換機は相互連動運用部により接続され、移動通信端末の非同期及び同期加入情報を保存及び管理するデュアルスタック・ホーム位置登録器に接続され、相互連動運用部は同期移動通信システム情報を保存及び管理し、非同期交換機からのハンドオーバー要請に応じて、ホーム位置登録器から移動通信端末の同期加入情報を受信し、同期交換機に同期システム情報及び移動通信端末の同期加入情報を送って応答を受信することにより、非同期交換機と同期交換機との間に中継線が設定される。端末と同期システムが接続されて同期交換機からハンドオーバーが完了した旨を報知されると、非同期交換機に無線接続を解放することを要請し、これにより、非同期網と同期網との境界域において、世代間のサービス差を克服して良質なサービスを提供することができる。【選択図】図１
2011142650.tif 000002
【特許請求の範囲】
【請求項１】
ノードＢ、無線網制御器及び非同期交換機を有する非同期移動通信システムと、基地局、基地局制御器及び同期交換機を有する同期移動通信システムとが混在した移動通信システムにおける、前記非同期移動通信システム及び同期移動通信システムと通信可能なデュアルバンド・デュアルモードの移動通信端末の発信後応答待ち中のハンドオーバーを可能にする移動通信システムであって、
前記非同期交換機及び同期交換機は相互連動運用部により互いに接続され、前記非同期交換機及び同期交換機はそれぞれデュアルスタック・ホーム位置登録器に接続され、
前記デュアルスタック・ホーム位置登録器は前記移動通信端末の非同期加入情報及び同期加入情報を保存及び管理し、
前記相互連動運用部は前記同期移動通信システム情報を保存及び管理し、前記非同期交換機からのハンドオーバー要請に応じて、前記ホーム位置登録器から前記移動通信端末の同期加入情報を受信し、前記同期交換機に同期システム情報及び前記移動通信端末の同期加入情報を送って前記同期交換機から応答を受信することにより、前記非同期交換機と同期交換機との間に中継線が設定されるようにし、前記移動通信端末と前記同期移動通信システムが接続されて前記同期交換機からハンドオーバーが完了した旨を報知されると、前記非同期交換機に無線接続を解放することを要請し、
前記発信後応答待ち中の移動通信端末のハンドオーバー時に、前記相互連動運用部は、前記非同期交換機から、ハンドオーバー要請及び前記移動通信端末が応答待ち状態である旨を受信し、前記同期交換機に、前記移動通信端末が応答待ち状態である旨を送信し、
前記発信後応答待ち中の移動通信端末のハンドオーバー完了後、前記相互連動運用部は、前記非同期交換機から順方向アクセス信号を受信することで、着信移動通信端末が応答した旨を報知されたときに、前記同期交換機に、インターシステム応答メッセージを送って、前記同期交換機に着信移動通信端末が応答した旨を報知すること、を特徴とする移動通信端末のハンドオーバーが可能な、非同期網と同期網が混在した移動通信システム。
【請求項２】
前記無線網制御器は、前記非同期交換機に隣接基地局情報を含めてハンドオーバーを要請し、前記非同期交換機は、前記無線網制御器からのハンドオーバーの要請に応じて、前記ハンドオーバーの要請が非同期移動通信システム内におけるハンドオーバーであるか、または、前記同期移動通信システムへのハンドオーバーであるかを判断することを特徴とする請求項１に記載の移動通信端末のハンドオーバーが可能な非同期網と同期網が混在した移動通信システム。
【請求項３】
前記相互連動運用部に保存される前記同期移動通信システム情報は、交換機情報、信号点、ハンドオーバーの対象となるセル情報を含み、前記同期移動通信システム情報を用いてハンドオーバーする交換機のＩＤを含むビリングＩＤを生成することを特徴とする請求項１に記載の移動通信端末のハンドオーバーが可能な非同期網と同期網が混在した移動通信システム。
【請求項４】
前記相互連動運用部は、前記非同期交換機と同期交換機との間の中継線の設定のために前記同期交換機にビリングＩＤ、前記移動通信端末のＥＳＮ／ＭＩＮ、内部交換機サーキットＩＤを含むパラメータを送り、前記同期交換機から同期チャンネルデータ、コードチャンネル一覧を含むパラメータを受信することを特徴とする請求項１に記載の移動通信端末のハンドオーバーが可能な非同期網と同期網が混在した移動通信システム。
【請求項５】
ノードＢ、無線網制御器及び非同期交換機を有する非同期移動通信システムと、基地局、基地局制御器及び同期交換機を有する同期移動通信システムとが混在した移動通信システムにおける、前記非同期移動通信システム及び同期移動通信システムと通信可能なデュアルバンド・デュアルモードの移動通信端末の発信後応答待ち中のハンドオーバー方法であって、
前記非同期交換機及び同期交換機は相互連動運用部により互いに接続され、前記非同期交換機及び同期交換機はそれぞれデュアルスタック・ホーム位置登録器に接続され、
前記移動通信端末からのハンドオーバーの要請に応じて、前記無線網制御器が前記非同期交換機にハンドオーバー要請メッセージを送るステップと、
前記非同期交換機が前記相互連動運用部にハンドオーバー要請メッセージを送るステップと、
前記相互連動運用部が前記デュアルスタック・ホーム位置登録器に前記移動通信端末の加入者情報の伝送を要請して受信するステップと、
前記相互連動運用部が前記同期交換機にハンドオーバーを指示し、前記同期交換機が前記基地局制御器／基地局にハンドオーバーを要請するステップと、
前記基地局／基地局制御器が前記移動通信端末に順方向トラフィックチャンネルを割り当て、前記同期交換機にハンドオーバー要請に対する応答メッセージを送るステップと、
前記同期交換機が前記相互連動運用部にハンドオーバー指示に対する応答メッセージを送り、前記相互連動運用部が前記非同期交換機にハンドオーバー要請に対する応答メッセージを送ることにより、前記非同期交換機と同期交換機との間の中継線が設定されるステップと、
前記非同期交換機が前記無線網制御器にハンドオーバーのためのリソース割当てが完了した旨を報告するステップと、
前記無線網制御器が前記ノードＢを介して前記移動通信端末にハンドオーバーを指示するステップと、
前記移動通信端末が同期移動通信システム接続モードに切り替えるステップと、
前記相互連動運用部が前記非同期交換機にアクセス信号を送るステップと、
前記移動通信端末が前記基地局／基地局制御器に逆方向トラフィックチャンネルを介してフレーム及びプレアンブルを送り、ハンドオーバーが完了した旨を報告するステップと、
前記基地局／基地局制御器が前記同期交換機にハンドオーバーが完了した旨を報告し、前記交換機が前記相互連動運用部にハンドオーバーが完了した旨を報知するステップと、
前記相互連動運用部が前記非同期交換機に接続を解放することを要請して、前記非同期交換機とノードＢ／無線網制御との接続が解放されるステップと、
前記移動通信端末が発信後応答待ち中の場合、
前記非同期交換機が前記相互連動運用部にハンドオーバー要請メッセージを送るステップは、前記移動通信端末が応答待ち状態である旨を報知するステップをさらに含み、
前記相互連動運用部が前記同期交換機にハンドオーバー指示メッセージを送るステップは、前記移動通信端末が応答待ち状態である旨を報知するステップをさらに含み、
前記非同期交換機とノードＢ／無線網制御器との接続が解放されるステップ後、
着信移動通信端末が応答することにより、前記非同期交換機が、前記相互連動運用部に、順方向アクセス信号を送ることで、着信移動通信端末が接続した旨を報知するステップと、
前記相互連動運用部が、前記同期交換機に、インターシステム応答メッセージを送り、前記同期交換機が、前記基地局制御器／基地局に、前記着信移動通信端末が応答して接続した旨を報告するステップと、
前記同期交換機が、前記相互連動運用部に、前記インターシステム応答メッセージに対する応答信号を送るステップと、
を含むハンドオーバー方法。
【請求項６】
前記無線網制御器が前記非同期交換機にハンドオーバー要請メッセージを送るステップは、前記同期移動通信システムにおいて用いるハンドオーバー関係のメッセージ、前記移動通信端末の隣接セル情報、隣接基地局情報、ハンドオーバー型、ハンドオーバーの原因、ソース基地局制御器ＩＤ、ターゲット基地局制御器ＩＤ、ＲＡＢ情報及び無線区間関係の情報を含むパラメータを含むことを特徴とする請求項５に記載のハンドオーバー方法。
【請求項７】
前記非同期交換機は、前記移動通信端末の隣接セル情報、隣接基地局情報に基づいて非同期移動通信システム内のハンドオーバーであるか、または、同期移動通信システムへのハンドオーバーであるかを判断するステップをさらに含む請求項６に記載のハンドオーバー方法。
【請求項８】
前記非同期交換機が前記相互連動運用部にハンドオーバー要請メッセージを送るステップにおいて、前記移動通信端末の非同期識別番号（ＭＳＩＳＤＮ）を一緒に送ることを特徴とする請求項５に記載のハンドオーバー方法。
【請求項９】
前記相互連動運用部が前記デュアルスタック・ホーム位置登録器から受信する加入者情報は、前記移動通信端末の同期網識別子（ＭＩＮ、ＥＳＮ）を含むことを特徴とする請求項５に記載のハンドオーバー方法。
【請求項１０】
前記相互連動運用部が前記デュアルスタック・ホーム位置登録器に前記移動通信端末の加入者情報を要請するステップにおいては、同期メッセージ及び非同期メッセージのいずれか一方を用いることを特徴とする請求項５に記載のハンドオーバー方法。
【請求項１１】
前記相互連動運用部は前記同期交換機にハンドオーバー指示メッセージを送る前に、前記非同期交換機に接続する同期交換機のＩＤ情報を含むビリングＩＤを生成してハンドオーバー指示メッセージに含めて送り、ハンドオーバー区間別の内部交換機サーキットＩＤを含めて送ることを特徴とする請求項５に記載のハンドオーバー方法。
【請求項１２】
前記相互連動運用部が前記同期交換機に送るハンドオーバー要請メッセージは、ビリングＩＤ、ＥＳＮ、内部交換機サーキットＩＤ、ＭＩＮを含むパラメータを含み、前記同期交換機が前記相互連動運用部に送る応答メッセージは、ＣＤＭＡチャンネルデータ、ＣＤＭＡチャンネル一覧を含むパラメータを含むことを特徴とする請求項５に記載のハンドオーバー方法。
【請求項１３】
前記非同期交換機が前記無線網制御器にリソース割当て完了メッセージを送るステップにおいて、前記リソース割当て完了メッセージはメッセージ型、ＲＲＣコンテーナー、解放するＲＡＢ一覧を含むパラメータをさらに含むことを特徴とする請求項５に記載のハンドオーバー方法。
【請求項１４】
前記アクセス信号は、インボークＩＤ、応用プロトコルデータ単位（ＡＰＤＵ）、選択された無線リソース情報を含むことを特徴とする請求項５に記載のハンドオーバー方法。
【請求項１５】
前記非同期交換機とノードＢ／無線網制御器との間の接続が解放されるステップ後、着信移動通信端末または発信移動通信端末から呼解放要請が受信されることにより、前記呼解放要請を受信した交換機が前記相互連動運用部に呼解放要請メッセージを送り、前記相互連動運用部がこれに応答することにより、前記非同期交換機と同期交換機との間に設定されていた中継線が解放されることを特徴とする請求項５に記載のハンドオーバー方法。
【請求項１６】
前記呼解放要請メッセージは内部ＭＳＣサーキットＩＤ、解放理由、ビリングＩＤ、ＭＩＮを含むパラメータを含み、前記応答メッセージはビリングＩＤを含むパラメータを含むことを特徴とする請求項１５に記載のハンドオーバー方法。
【請求項１７】
前記非同期交換機とノードＢ／無線網制御器との接続が解放されるステップ後、前記着信アラート中の移動通信端末が応答する場合、または発信後応答待ち中の移動通信端末に対して着信側が応答する場合、
着信移動通信端末または発信移動通信端末から呼解放要請が受信されることにより、前記呼解放要請を受信した交換機が前記相互連動運用部に呼解放要請メッセージを送り、前記相互連動運用部がこれに応答することにより、前記非同期交換機と同期交換機との間に設定されていた中継線が解放されることを特徴とする請求項５に記載のハンドオーバー方法。
【請求項１８】
前記呼解放要請メッセージは、内部ＭＳＣサーキットＩＤ、解放理由、ビリングＩＤ、ＭＩＮを含むパラメータを含み、前記応答メッセージは、ビリングＩＤを含むパラメータを含むことを特徴とする請求項１７に記載のハンドオーバー方法。
【請求項１９】
前記インターシステム応答メッセージは、内部ＭＳＣサーキットＩＤ、ＭＩＮ、ＥＳＮを含むパラメータを含むことを特徴とする請求項５に記載のハンドオーバー方法。
【発明の詳細な説明】
【技術分野】
【０００１】
本発明は移動通信網におけるハンドオーバー方法に係り、さらに詳しくは、移動通信端末のハンドオーバーが可能な非同期網と同期網が混在した移動通信システム及びこの移動通信システムにおける非同期交換機と同期交換機との間の信号交換のための相互連動運用部を用いたハンドオーバー方法に関する。
【背景技術】
【０００２】
移動通信技術の発展に伴い、移動通信網は世代を重ねて変化しつつあり、現在、２世代または２．５世代網と呼ばれる同期移動通信システム（ＣＤＭＡ移動通信システム）と、３世代網と呼ばれる非同期移動通信システム（ＷＣＤＭＡ移動通信システム）が共存している。
【０００３】
かのような移動通信網技術の発展に伴い、同期方式のシステムと非同期方式のシステムの両方において使用可能な移動通信端末（Ｄｕａｌ  Ｂａｎｄ  Ｄｕａｌ  Ｍｏｄｅ  Ｔｅｒｍｉｎａｌ；ＤＢＤＭ）移動通信端末が開発されており、このような移動通信端末を用いることにより非同期方式システム領域及び同期方式システム領域のそれぞれにおいて異なる方式のサービスを用いることができる。かようなＤＢＤＭ移動通信端末は、アンテナ、同期移動通信サービスのためのモジュールとしての同期モデム部、非同期移動通信サービスのためのモジュールとしての非同期モデム部及び共通モジュールを備えてなる。
【０００４】
ところが、非同期移動通信システムは未だサービスの初期段階にあり、システムの実現に膨大な投資費を要するが故に、広い地域をサービスすることができず、同期移動通信システム領域に重なるような形で実現されている。これにより、非同期移動通信システムのサービス領域が限られるため、非同期移動通信システム加入者が非同期領域からサービスを利用している最中に非同期移動通信サービスの提供されない同期領域に移動する場合、呼が途切れてしまうといった不都合がある。
【０００５】
このように非同期移動通信システムと同期移動通信システムが共存しており、非同期移動通信システムの領域が同期移動通信システムの領域よりも狭い場合、非同期移動通信システムと同期移動通信システムとの間の連続したサービスを提供するためのハンドオーバーが必要となる。また、かようなハンドオーバーは、移動通信端末の音声通話サービス利用中、着信アラート状態中または発信後着信側からの応答待ち中に対応するものである必要がある。
【発明の開示】
【発明が解決しようとする課題】
【０００６】
本発明は上述した不都合を解消するためになされたものであり、その目的は、発信後着信側からの応答待ち状態にある移動通信端末が、非同期移動通信システム領域から同期移動通信システム領域に移動するに伴い、非同期交換機と同期交換機との間の相互連動運用部を用いて、連続したサービスを提供可能なハンドオーバー方法を提供するところにある。
【０００７】
本発明の他の目的は、非同期移動通信システム領域にある移動通信端末が同期移動通信システム領域に移動するに伴い、無線網制御器が非同期交換機にハンドオーバーを要請すると、非同期交換機が非同期移動通信システム内におけるハンドオーバーであるか、あるいは、同期移動通信システムへのハンドオーバーであるかを判別してハンドオーバーのターゲットに好適なハンドオーバー手続きを行うことのできるハンドオーバー方法を提供するところにある。
【課題を解決するための手段】
【０００８】
上述した目的を達成するために、本発明は、ノードＢ、無線網制御器及び非同期交換機を有する非同期移動通信システムと、基地局、基地局制御器及び同期交換機を有する同期移動通信システムとが混在した移動通信システムにおける、前記非同期移動通信システム及び同期移動通信システムと通信可能なデュアルバンド・デュアルモードの移動通信端末の発信後応答待ち中のハンドオーバーを可能にする移動通信システムであって、前記非同期交換機及び同期交換機は相互連動運用部により互いに接続され、前記非同期交換機及び同期交換機はそれぞれデュアルスタック・ホーム位置登録器に接続され、前記デュアルスタック・ホーム位置登録器は前記移動通信端末の非同期加入情報及び同期加入情報を保存及び管理し、前記相互連動運用部は前記同期移動通信システム情報を保存及び管理し、前記非同期交換機からのハンドオーバー要請に応じて、前記ホーム位置登録器から前記移動通信端末の同期加入情報を受信し、前記同期交換機に同期システム情報及び前記移動通信端末の同期加入情報を送って前記同期交換機から応答を受信することにより、前記非同期交換機と同期交換機との間に中継線が設定されるようにし、前記移動通信端末と前記同期移動通信システムが接続されて前記同期交換機からハンドオーバーが完了した旨を報知されると、前記非同期交換機に無線接続を解放することを要請し、前記発信後応答待ち中の移動通信端末のハンドオーバー時に、前記相互連動運用部は、前記非同期交換機から、ハンドオーバー要請及び前記移動通信端末が応答待ち状態である旨を受信し、前記同期交換機に、前記移動通信端末が応答待ち状態である旨を送信し、前記発信後応答待ち中の移動通信端末のハンドオーバー完了後、前記相互連動運用部は、前記非同期交換機から順方向アクセス信号を受信することで、着信移動通信端末が応答した旨を報知されたときに、前記同期交換機に、インターシステム応答メッセージを送って、前記同期交換機に着信移動通信端末が応答した旨を報知すること、を特徴とする。
【発明を実施するための最良の形態】
【０００９】
以下、添付図面に基づき、本発明の好適な実施形態をさらに詳述する。
【００１０】
図１は、本発明が適用される移動通信網の構成図である。
【００１１】
本発明に適用される移動通信端末１０は、デュアルバンド・デュアルモード（以下、「ＤＢＤＭ」と称する。）の移動通信端末であって、非同期移動通信サービスと同期移動通信サービスを同時に提供可能なものであり、同期移動通信サービスのためのモジュールとしての同期モデム部、非同期移動通信サービスのためのモジュールとしての非同期モデム部及び共通モジュールを備えてなり、非同期移動通信システム２０及び同期移動通信システム３０とそれぞれ無線接続して音声及びデータサービスを利用することができる。
【００１２】
非同期移動通信システム２０は、移動通信端末１０との無線区間通信のための基地局としてのノードＢ及びノードＢの制御のための無線網制御器（ノードＢ／ＲＮＣ）２１０と、無線網制御器２１０に接続されて移動通信端末１０にサービスを提供するための呼交換を行う非同期交換機（ＭＳＣ）２２０と、無線網制御器（ＲＮＣ）とＧＰＲＳ（Ｇｅｎｅｒａｌ  Ｐａｃｋｅｔ  Ｒａｄｉｏ  Ｓｅｒｖｉｃｅ）網２４０との間に接続されて移動通信端末１０の位置トラックを維持してアクセス制御及びセキュリティ機能を行うＳＧＳＮ（Ｓｅｒｖｉｎｇ  ＧＰＲＳ  Ｓｕｐｐｏｒｔ  Ｎｏｄｅ）２３０と、ＳＧＳＮ２３０とＧＰＲＳ網２４０を介して接続され、ＩＰ網７０に接続されて外部パケットとの連動に対応するＧＧＳＮ（Ｇａｔｅｗａｙ  ＧＰＲＳ  Ｓｕｐｐｏｒｔ  Ｎｏｄｅ）２５０と、を備える。
【００１３】
また、同期移動通信システム３０は、移動通信端末１０との無線区間通信に対応する基地局及び基地局を制御するための基地局制御器（ＢＴＳ／ＢＳＣ）３１０と、１以上の基地局制御器に接続されて呼交換を行うための交換機（ＭＳＣ）３２０と、基地局制御器（ＢＳＣ）に接続されて加入者にパケットデータサービスを与えるためのパケットデータサービスノード（ＰＤＳＮ）３３０と、パケットデータサービスノード３３０とＩＰ網７０との接続に対応するためのデータコア網（ＤＣＮ）３４０と、を備えてなる。
【００１４】
さらに、非同期移動通信システム２０及び同期移動通信システム３０の交換機２２０、３２０は相互連動運用部（Ｉｎｔｅｒｗｏｒｋｉｎｇ  Ｉｎｔｅｒｏｐｅｒａｂｉｌｉｔｙ  Ｆｕｎｃｔｉｏｎ；ＩＩＦ）６０により互いに接続されており、相互連動運用部６０は非同期交換機２２０から送られてくる非同期メッセージを同期メッセージに変換して同期交換機３２０に送り、同期移動通信システム情報をデータベースとして構築して管理する。
【００１５】
非同期交換機２２０及び同期交換機３２０もまたＮｏ．７共通信号網４０に互いに接続され、これを介してデュアルスタック・ホーム位置登録器（Ｄ−ＨＬＲ）５０に接続され、デュアルスタック・ホーム位置登録器５０はＤＢＤＭ移動通信端末１０の非同期移動通信システムの加入情報及びこれに対応する同期移動通信システムの加入情報を保存及び管理し、非同期及び同期交換機２２０、３２０がハンドオーバーなどのサービスを行うときに参照可能にする。
【００１６】
このようなネットワーク構成において、非同期移動通信システム２０領域に位置している移動通信端末１０はノードＢとの信号強度を周期的に測定してノードＢに報告し、ノードＢとの信号強度が所定のしきい値以下に下がると、ノードＢはＲＮＣを介して非同期交換機２２０にハンドオーバーイベントが発生した旨を報告する。このとき、ノードＢ／ＲＮＣ２１０は非同期交換機２２０に移動通信端末１０が検出した隣接セル情報、基地局ＩＤなどを一緒に送る。このとき、移動通信端末１０は音声通話サービス利用中であってもよく、着信アラート状態にあってもよく、発信後着信側からの応答待ち状態にあってもよい。
【００１７】
非同期交換機２２０は、ＲＮＣからハンドオーバー要請メッセージを受信すると、ＲＮＣから受信した隣接セル情報、基地局ＩＤなどに基づいて、非同期移動通信システム２０内の隣接セル間ハンドオーバーであるか、あるいは、同期移動通信システム３０へのハンドオーバーであるかを判断する。
【００１８】
非同期移動通信システム２０内の隣接セル間ハンドオーバーであると判断された場合、非同期交換機２２０は隣接セルへのハンドオーバーを行うのに対し、同期移動通信システム３０へのハンドオーバーであると判断された場合にはＩＩＦ６０を介して同期交換機３２０へのハンドオーバーが行われるようにする。このために、ＩＩＦ６０は、非同期メッセージを同期メッセージに変換して同期交換機３２０に送り、同期移動通信システム情報をデータベースとして構築して管理する。このデータベースには交換機情報、信号点、デジケートチャンネル関係の中継線情報などが含まれる。ＩＩＦ６０は非同期交換機２２０からのハンドオーバー要請と同期移動通信システム情報に基づいて、ハンドオーバーの対象となる交換機３２０を選択し、ハンドオーバーの対象となる交換機ＩＤなどを含むビリングＩＤを生成して後続するハンドオーバー過程において活用する。
【００１９】
以下、上述した移動通信システムにおけるハンドオーバー手続きを、移動通信端末が音声通話サービスの利用中にある場合、着信アラート状態にある場合及び発信後着信側の応答待ち状態にある場合に分けて説明する。
【００２０】
まず、図２及び図３は、本発明の一実施形態による非同期網と同期網との間のハンドオーバー方法を説明するための概念図及びフローチャートであり、移動通信端末が非同期移動通信システム領域から音声通話サービス利用中に同期移動通信システム領域に移動する場合におけるハンドオーバー方法を説明するための図である。
【００２１】
図２を参照するに、非同期移動通信システム２０領域Ａにおいて音声通話サービスを利用している移動通信端末１０は、現在接続されているノードＢからの信号強度及び隣接基地局（または、ノードＢ）からの信号強度を周期的に測定してノードＢに報告し、移動通信端末１０が同期移動通信システム３０領域Ｂとの境界域Ｃに移動するに伴い、移動通信端末１０において測定したノードＢとの信号強度が所定の値以下である場合、ノードＢはＲＮＣを介して非同期交換機２２０にハンドオーバーを要請する。
【００２２】
これにより、相互連動運用部６０を介して移動通信端末１０に対する非同期移動通信システム２０と同期移動通信システム３０との間のハンドオーバーの手続きが開始され、ハンドオーバーが完了して非同期交換機２２０と同期交換機３２０が相互連動運用部６０を介して接続されると、移動通信端末１０は同期移動通信システム３０のＢＴＳ／ＢＳＣ３１０を介して音声通話サービスを利用し続ける。
【００２３】
かような音声通話サービス利用中のハンドオーバーのために、移動通信端末１０は、ノードＢとの信号強度を周期的に測定してノードＢに報告し、ノードＢとの信号強度が所定のしきい値以下に下がると、ノードＢはＲＮＣを介して非同期交換機２２０にハンドオーバーイベントが発生した旨を報告する。このとき、ノードＢ／ＲＮＣ２１０は非同期交換機２２０に移動通信端末１０が検出した隣接セル情報、基地局ＩＤなどを一緒に送る。
【００２４】
以下、図３に基づき、このような音声通話サービス利用中のハンドオーバーの手続きをより具体的に説明する。
【００２５】
非同期移動通信システム２０の領域において音声通話を利用していた移動通信端末１０が同期移動通信システム３０領域に移動するに伴い、移動通信端末１０は同期移動通信システム３０からの信号を感知し、非同期移動通信システム２０のノードＢからの信号強度及び隣接基地局（または、ノードＢ）との信号強度を周期的に測定してノードＢに報告する。これにより、現在移動通信端末１０に接続されているノードＢにおいて、移動通信端末とノードＢとの信号強度が所定の値以下であることが確認されると、ＲＮＣを介して非同期交換機２２０にハンドオーバーを要請する（Ｓ１０１）。
【００２６】
このハンドオーバー要請メッセージ（ＩＵ  Ｒｅｌｏｃ  Ｒｅｑｕｉｒｅｄ）は、同期移動通信システムにおいて用いるハンドオーバー関係のメッセージを含む。また、ＲＮＣは移動通信端末１０から受信した隣接基地局情報（基地局ＩＤ）、隣接セル情報などを一緒に送り、非同期交換機２２０は、この情報に基づいて、非同期移動通信システム内の隣接セル間ハンドオーバーであるか、または、同期移動通信システム３０へのハンドオーバーであるかを判断する。ＲＮＣが非同期交換機２２０に送るハンドオーバー要請メッセージ（ＩＵ  Ｒｅｌｏｃ  Ｒｅｑｕｉｒｅｄ）は、図８に示すように、メッセージ型、ハンドオーバー型、ハンドオーバーの原因、ソース基地局制御器ＩＤ、ターゲット基地局制御器ＩＤ、ＲＡＢ（Ｒａｄｉｏ  Ａｃｃｅｓｓ  Ｂｅａｒｅｒ）情報及び無線区間関係の情報などのパラメータを含む。
【００２７】
ハンドオーバー要請メッセージを受信した非同期交換機２２０は、相互連動運用部６０にハンドオーバーを要請する非同期メッセージを送る（Ｓ１０２）。このとき、前記非同期メッセージに拡張コンテーナーを付加して移動通信端末１０の非同期識別番号（ＭＳＩＳＤＮ）を一緒に送り、このメッセージは、図９に示すように、インボークＩＤ、ターゲットセルＩＤ、ターゲット無線網制御器ＩＤ、ＭＳＩＳＤＮなどのパラメータを含む。
【００２８】
この後、相互連動運用部６０は、非同期交換機２２０から受信した非同期加入者情報（ＭＳＩＳＤＮ）に基づいて、デュアルスタック・ホーム位置登録器５０に加入者情報を送ることを要請する（Ｓ１０３）。すなわち、移動通信端末１０の同期網識別子（ＭＩＮ、ＥＳＮ）を要請する。ステップＳ１０３において、相互連動運用部６０は、デュアルスタック・ホーム位置登録器５０に非同期メッセージ（ＭＡＰ＿ＳＥＮＤ＿ＩＭＳＩ）を用いて加入者の同期網識別子情報を要請することも可能である。
【００２９】
相互連動運用部６０の加入者情報要請を受けたデュアルスタック・ホーム位置登録器５０は、データベースを照会して当該加入者の同期網識別子情報（ＭＩＮ、ＥＳＮ）を取り出した後、相互連動運用部６０に送り（Ｓ１０４）、これを受信した相互連動運用部６０は同期交換機３２０にハンドオーバーを指示し（Ｓ１０５）、同期交換機３２０は、基地局制御器／基地局３１０にハンドオーバーを要請する（Ｓ１０６）。ここで、加入者の同期網識別子情報を要請する同期網メッセージ（Ｃａｌｌ  Ｄａｔａ  Ｒｅｑｕｅｓｔ）は、図１０Ａに示すように、ビリングＩＤ、デジット（すなわち、ＭＳＩＳＤＮ）などのパラメータを含み、その応答メッセージ（Ｃａｌｌ  Ｄａｔａ  Ｒｅｑｕｅｓｔ）は、ＥＳＮ、ＭＩＮ、ＭＳＣＩＤなどのパラメータを含む。
【００３０】
一方、加入者の同期網識別子情報を要請するとき、非同期メッセージ（ＭＡＰ＿ＳＥＮＤ＿ＩＭＳＩ）を用いる場合、このメッセージに含まれるパラメータの種類は、図１０Ｂに示す通りである。
【００３１】
このように、相互連動運用部６０は、同期交換機３２０にハンドオーバー指示メッセージ（Ｆａｃｉｌｉｔｉｅｓ  Ｄｉｒｅｃｔｉｖｅ２）を送る前に、ビリングＩＤを生成してハンドオーバー指示メッセージ（Ｆａｃｉｌｉｔｉｅｓ  Ｄｉｒｅｃｔｉｖｅ２）に含め、ハンドオーバー区間別の内部交換機サーキットＩＤ（Ｉｎｔｅｒ  ＭＳＣ  Ｃｉｒｃｕｉｔ  ＩＤ）を含めて送る。ここで、ビリングＩＤは非同期交換機２２０に接続する同期交換機３２０のＩＤ情報を含む。交換機３２０からハンドオーバー要請を受けた基地局／基地局制御器３１０は、順方向トラフィックチャンネルを介して移動通信端末の同期モデム部にヌルフレームを送ることにより順方向チャンネルが割り当てられ（Ｓ１０７）、次いで、基地局／基地局制御器３１０は交換機３２０にハンドオーバー要請に対する応答メッセージ（Ｈａｎｄｏｆｆ  Ｒｅｑｕｅｓｔ  Ａｃｋ）を送る（Ｓ１０８）。また、交換機３２０は相互連動運用部６０にハンドオーバー指示に対する応答メッセージ（Ｆａｃｉｌｉｔｉｅｓ  Ｄｉｒｅｃｔｉｖｅ２  Ａｃｋ）を送り（Ｓ１０９）、相互連動運用部６０は非同期交換機２２０にステップＳ１０２のハンドオーバー要請に対する応答メッセージ（ＭＡＰ  Ｐｒｅｐ  Ｈａｎｄｏｖｅｒ  Ｒｅｓｐ）を送る（Ｓ１１０）。これにより、非同期交換機２２０と同期交換機３２０との間に中継線が設定される。
【００３２】
以下、非同期交換機２２０と同期交換機３２０との間の中継線の設定過程について具体的に説明する。相互連動運用部６０は、論理的な中継線設定識別子としてのデジケートチャンネルと物理的な中継線とのマッピング関係を設定し、この情報をハンドオーバー要請メッセージ（Ｆａｃｉｌｉｔｉｅｓ  Ｄｉｒｅｃｔｉｖｅ２）の内部交換機サーキットＩＤ（Ｉｎｔｅｒ  ＭＳＣ  Ｃｉｒｃｕｉｔ  ＩＤ）に設定して同期交換機３２０に送り、同期交換機３２０から応答メッセージ（Ｆａｃｉｌｉｔｉｅｓ  Ｄｉｒｅｃｔｉｖｅ２  Ａｃｋ）が送られてくると、非同期交換機２２０と同期交換機３２０との間に中継線が設定されるのである。相互連動運用部６０と同期交換機３２０との間に送受されるハンドオーバー要請メッセージ（Ｆａｃｉｌｉｔｉｅｓ  Ｄｉｒｅｃｔｉｖｅ２）は、図１１に示すように、ビリングＩＤ、ＥＳＮ、内部交換機サーキットＩＤ、ＭＩＮなどのパラメータを含み、その応答メッセージ（Ｆａｃｉｌｉｔｉｅｓ  Ｄｉｒｅｃｔｉｖｅ２  Ａｃｋ）は、ＣＤＭＡチャンネルデータ、ＣＤＭＡチャンネル一覧などのパラメータを含む。
【００３３】
このようにして交換機間に中継線が設定された後、非同期交換機２２０はノードＢ／ＲＮＣ２１０にハンドオーバーのためのリソース割当てが完了した旨を報告し（Ｓ１１１）、これを受信したノードＢ／ＲＮＣ２１０は移動通信端末１０の非同期モデム部にハンドオーバーを行うことを要請する（Ｓ１１２）。ここで、リソース割当てが完了した旨を報告するメッセージ（ＩＵ  Ｒｅｌｏｃａｔｉｏｎ  Ｃｏｍｍａｎｄ）は、図１２に示すように、メッセージ型、ＲＲＣコンテーナー、解放するＲＡＢ一覧などのパラメータを含む。
【００３４】
この後、移動通信端末の非同期モデム部は、同期モデム部にチャンネル割当て情報を送り（Ｓ１１３）、同期モデム部は非同期モデム部に同期移動通信システムに接続が完了した旨を報知する（Ｓ１１４）。
【００３５】
次に、相互連動運用部６０は、非同期交換機２２０にアクセス信号を要請するが（Ｓ１１５）、アクセス信号はインボークＩＤ、応用プロトコルデータ単位（ＡＰＤＵ）、選択された無線リソース情報などを含み、その具体的なパラメータ一覧は、図１３に示す通りである。
【００３６】
また、移動通信端末の同期モデム部は、同期移動通信システムの基地局／基地局制御器３１０に逆方向トラフィックチャンネルを介してフレーム及びプレアンブルを送り（Ｓ１１６）、ハンドオーバーが完了した旨を報告し（Ｓ１１７）、これを受信した基地局／基地局制御器３１０がこれに対する応答信号を送る（Ｓ１１８）。
【００３７】
基地局／基地局制御器３１０は、次いで、交換機３２０にハンドオーバーが完了した旨を報告し（Ｓ１１９）、交換機３２０は相互連動運用部６０にハンドオーバーが完了した旨を報知し（Ｓ１２０）、これを受信した相互連動運用部６０が非同期交換機２２０に接続を解放することを要請することにより（Ｓ１２１）、非同期交換機２２０とノードＢ／ＲＮＣとの接続が解放される（Ｓ１２２、Ｓ１２３）。
【００３８】
ここで、交換機３２０が相互連動運用部６０に送るハンドオーバー完了メッセージ（Ｍｏｂｉｌｅ  Ｏｎ  Ｃｈａｎｎｅｌ）は、図１４のように作成され、相互連動運用部６０が非同期交換機２２０に送る接続解放要請メッセージ（ＭＡＰ  Ｓｅｎｄ  Ｅｎｄ  Ｓｉｇｎａｌ  Ｒｅｑ）は、図１５に示すパラメータを含む。さらに、非同期交換機２２０とノードＢ／ＲＮＣとの接続解放のために送受するメッセージ（ＩＵ  Ｒｅｌｅａｓｅ  Ｃｏｍｍａｎｄ、ＩＵ  Ｒｅｌｅａｓｅ  Ｃｏｍｐｌｅｔｅ）はそれぞれ図１６及び図１７のように作成される。
【００３９】
上述した手続きにより非同期移動通信システムにおいて音声通話中の移動通信端末に対する同期移動通信システムへのハンドオーバーが完了した後、呼解放過程を説明すれば、次の通りである。呼解放は非同期移動通信システム領域にある加入者の移動通信端末から先に要請されてもよく、あるいは、同期移動通信システム領域にハンドオーバーした加入者の移動通信端末から先に要請されてもよい。
【００４０】
いずれの側から呼解放要請が受信されるにせよ、呼解放要請を受信した交換機２２０または３２０が相互連動運用部６０に呼解放要請メッセージ（Ｆａｃｉｌｉｔｉｅｓ  Ｒｅｌｅａｓｅ）を送り、相互連動運用部６０がこれに応答することにより（Ｆａｃｉｌｉｔｉｅｓ  Ａｃｋ）が交換機間に設定されていた中継線が解放される。ここで、呼解放要請メッセージ（Ｆａｃｉｌｉｔｉｅｓ  Ｒｅｌｅａｓｅ）は、図１８に示すように、内部ＭＳＣサーキットＩＤ、解放理由、ビリングＩＤ、ＭＩＮなどのパラメータを含み、その応答メッセージ（Ｆａｃｉｌｉｔｉｅｓ  Ａｃｋ）はビリングＩＤなどのパラメータを含む。
【００４１】
この実施形態において、非同期交換機は、ＲＮＣのハンドオーバー要請に応じて、非同期移動通信システム内におけるハンドオーバーであるか、あるいは、同期移動通信システムへのハンドオーバーであるかを決める。また、同期移動通信システムへのハンドオーバーであると確認された場合、相互連動運用部（ＩＩＦ）をコンバーターとして同期移動通信システムの交換機とメッセージを送受信しながら、ハンドオーバーが行われるようにし、このために、相互連動運用部は、同期移動通信システム情報を予めデータベースとして構築して保存していることが必要である。
【００４２】
図４及び図５は、本発明の他の実施形態による非同期網と同期網との間のハンドオーバー方法を説明するための概念図及びフローチャートであり、移動通信端末が非同期移動通信システム領域から着信アラート状態にある最中に同期移動通信システム領域に移動する場合におけるハンドオーバー方法を説明するための図である。
【００４３】
説明の都合上、移動通信端末を発信移動通信端末１０ａと着信移動通信端末１０ｂとに分けて説明する。
【００４４】
図４を参照するに、移動通信端末１０ａ、１０ｂは、非同期移動通信システム２０の現在接続中のノードＢとの信号強度及び隣接基地局（または、ノードＢ）との信号強度を周期的に測定してノードＢに報告し、非同期移動通信システム２０領域Ａから、発信移動通信端末１０ａの発信試みにより、着信移動通信端末１０ｂがノードＢ／ＲＮＣ２１０を介して着信アラート状態にある場合に、着信移動通信端末１０ｂが同期移動通信システム３０領域Ｂとの境界域Ｃに移動すると、ノードＢは移動通信端末１０ｂから報告されたノードＢとの信号強度が所定の値以下である場合、ＲＮＣを介して非同期交換機２２０にハンドオーバーを要請する。
【００４５】
これにより、相互連動運用部６０を介して着信移動通信端末１０ｂに対する非同期移動通信システム２０と同期移動通信システム３０との間のハンドオーバー手続きが開始され、ハンドオーバーが完了して非同期交換機２２０と同期交換機３２０が相互連動運用部６０を介して接続されると、発信移動通信端末１０ａによる発信アラートは、同期移動通信システム３０のＢＴＳ／ＢＳＣ３１０を介して着信移動通信端末１０ｂへの着信アラートを提供する。
【００４６】
このような着信アラート中のハンドオーバーのための移動通信端末１０と移動通信システムの各構成要素は、図２に基づいて説明したのと同様に動作する。
【００４７】
図５は、移動通信端末の着信アラート中のハンドオーバー方法を示すフローチャートであり、ノードＢがＲＮＣを介して非同期交換機にハンドオーバーを要請するステップ（Ｓ２０１）から、ハンドオーバー完了後、非同期交換機とノードＢ／ＲＮＣとの接続が解放されるステップ（Ｓ２２３）までは、図３に基づいて説明した過程とほぼ同様である。
【００４８】
但し、この実施形態においては、ハンドオーバー要請メッセージを受信した非同期交換機２２０が相互連動運用部６０にハンドオーバーを要請する非同期メッセージ（ＭＡＰ  Ｐｒｅｐ  Ｈａｎｄｏｖｅｒ  Ｒｅｑ）を送るとき（Ｓ２０２）、前記非同期メッセージが図９に示すパラメータに加えて、図１９に示すＣＤＭＡ呼び出しモードパラメータをさらに含むことにより、ハンドオーバー遂行中の移動通信端末に着信アラート状態である旨を示させている。
【００４９】
さらに、この実施形態は、相互連動運用部６０が同期交換機３２０にハンドオーバーを指示するステップ（Ｓ２０５）において、ハンドオーバー指示メッセージ（Ｆａｃｉｌｉｔｉｅｓ  Ｄｉｒｅｃｔｉｖｅ２）にビリングＩＤ、ハンドオーバー区間別の内部交換機サーキットＩＤ（Ｉｎｔｅｒ  ＭＳＣ  Ｃｉｒｃｕｉｔ  ＩＤ）を含めて送ることに加えて、ハンドオーバー遂行中の移動通信端末が着信アラート状態である旨を示す情報をさらに含むことにより、音声チャンネルが呼び出し状態になるようにする。このために、図１１に示すパラメータのうちハンドオーバー状態を示すパラメータを着信アラート状態である旨を示す識別子として設定する。
【００５０】
一方、非同期交換機３２０とノードＢ／ＲＮＣ３１０との接続が解放されるステップ（Ｓ２２３）後、ハンドオーバーを完了した着信移動通信端末が応答すると、基地局／基地局制御器３１０はこれを交換機３２０に報告し（Ｓ２２４）、交換機３２０は相互連動運用部６０にインターシステム応答メッセージ（Ｉｎｔｅｒｓｙｓｔｅｍ  Ａｎｓｗｅｒ）を送って着信移動通信端末が応答した旨を報知する（Ｓ２２５）。次いで、相互連動運用部６０は、非同期交換機２２０にアクセス信号を送って（Ｓ２２６）、着信移動通信端末が応答した旨を報知する一方、交換機３２０にインターシステム応答メッセージに対する応答メッセージ（Ｉｎｔｅｒｓｙｓｔｅｍ  Ａｎｓｗｅｒ  Ａｃｋ）を送る（Ｓ２２７）。
【００５１】
インターシステム応答メッセージ（Ｉｎｔｅｒｓｙｓｔｅｍ  Ａｎｓｗｅｒ）は、図２０に示すように、内部ＭＳＣサーキットＩＤ、ＭＩＮ、ＥＳＮなどのパラメータを含む。上述した手続きにより非同期移動通信システムにおいて着信アラート中の移動通信端末に対する同期移動通信システムへのハンドオーバーが完了され、着信移動通信端末が応答して発信者と着信者との間の通話が開始された後、呼を解放する過程を説明すれば、次の通りである。
【００５２】
呼解放は非同期移動通信システム領域にある加入者の移動通信端末から先に要請されてもよく、同期移動通信システム領域にハンドオーバーした加入者の移動通信端末から先に要請されてもよい。
【００５３】
いずれの側から呼解放要請が受信されるにせよ、呼解放要請を受信した交換機２２０または３２０が相互連動運用部６０に呼解放要請メッセージ（Ｆａｃｉｌｉｔｉｅｓ  Ｒｅｌｅａｓｅ）を送り、相互連動運用部６０がこれに応答することにより、交換機間に設定されていた中継線が解放される。ここで、呼解放要請メッセージ（Ｆａｃｉｌｉｔｉｅｓ
Ｒｅｌｅａｓｅ）は、図１８に示すように、内部ＭＳＣサーキットＩＤ、解放理由、ビリングＩＤ、ＭＩＮなどのパラメータを含み、その応答メッセージ（Ｆａｃｉｌｉｔｉｅｓ  Ａｃｋ）はビリングＩＤなどのパラメータを含む。
【００５４】
この実施形態において、非同期領域に位置している移動通信端末が着信アラート状態において同期網領域に移動するに伴い、ＲＮＣは非同期交換機にハンドオーバーを要請し、非同期交換機は非同期移動通信システム内におけるハンドオーバーであるか、あるいは、同期移動通信システムへのハンドオーバーであるかを決める。また、同期移動通信システムへのハンドオーバーであると確認された場合、相互連動運用部（ＩＩＦ）をコンバーターとして同期移動通信システムの交換機とメッセージを送受信しながら、ハンドオーバーが行われるようにし、このとき、ハンドオーバーの対象となる移動通信端末が着信アラート状態である旨を報知する。
【００５５】
同期移動通信システムへのハンドオーバーが完了されて着信アラート状態の移動通信端末が応答すれば、同期交換機は相互連動運用部にインターシステム応答メッセージを送って移動通信端末がアラートに応答した旨を報知することにより、ハンドオーバーが完全に行われるようにする。
【００５６】
図６及び図７は、本発明のさらに他の実施形態による非同期網と同期網との間のハンドオーバー方法を説明するための概念図及びフローチャートであり、移動通信端末が非同期移動通信システム領域から発信後着信側の応答待ち状態にある最中に同期移動通信システム領域に移動する場合のハンドオーバー方法を説明するための図である。
【００５７】
説明の都合上、移動通信端末を発信移動通信端末１０ａと着信移動通信端末１０ｂとに分けて説明する。
【００５８】
図６を参照するに、移動通信端末１０ａ、１０ｂは、非同期移動通信システム２０の現在接続中のノードＢとの信号強度及び隣接基地局（または、ノードＢ）との信号強度を周期的に測定してノードＢに報告し、非同期移動通信システム２０領域Ａから、発信移動通信端末１０ａの発信試みにより、着信移動通信端末１０ｂがノードＢ／ＲＮＣ２１０を介して着信アラート状態にある場合に、発信移動通信端末１０ａが同期移動通信システム３０領域Ｂとの境界域Ｃに移動する場合、ノードＢは、移動通信端末１０ａから受信したノードＢからの信号強度が所定の値以下である場合、ＲＮＣを介して非同期交換機２２０にハンドオーバーを要請する。
【００５９】
これにより、相互連動運用部６０を介して発信移動通信端末１０ａに対する非同期移動通信システム２０と同期移動通信システム３０との間のハンドオーバー手続きが開始され、ハンドオーバーが完了されて非同期交換機２２０と同期交換機３２０が相互連動運用部６０を介して接続されると、発信移動通信端末１０ａは同期移動通信システム３０のＢＴＳ／ＢＳＣ３１０を介して接続されて着信移動通信端末１０ｂの応答を待つ。
【００６０】
このような発信応答待ち中のハンドオーバーのための移動通信端末１０と移動通信システムの各構成要素は、図２に基づいて説明したのとほぼ同様に動作する。
【００６１】
図７は、移動通信端末の発信後応答待ち中のハンドオーバー方法を示すフローチャートであり、ノードＢがＲＮＣを介して非同期交換機にハンドオーバーを要請するステップ（Ｓ３０１）から、ハンドオーバー完了後、非同期交換機とノードＢ／ＲＮＣとの接続が解放されるステップ（Ｓ３２３）までは、図３における過程と同様である。
【００６２】
但し、この実施形態においては、ハンドオーバー要請メッセージを受信した非同期交換機２２０が相互連動運用部６０にハンドオーバーを要請する非同期メッセージ（ＭＡＰ  Ｐｒｅｐ  Ｈａｎｄｏｖｅｒ  Ｒｅｑ）を送るとき（Ｓ２０２）、前記非同期メッセージが図９に示すパラメータに加えて、図１９に示すＣＤＭＡ呼び出しモードパラメータをさらに含むことにより、ハンドオーバー遂行中の移動通信端末に応答待ち状態である旨を示させている。
【００６３】
さらに、この実施形態は、相互連動運用部６０が同期交換機３２０にハンドオーバーを指示するステップ（Ｓ２０５）においてハンドオーバー指示メッセージ（Ｆａｃｉｌｉｔｉｅｓ  Ｄｉｒｅｃｔｉｖｅ２）にビリングＩＤ、ハンドオーバー区間別の内部交換機サーキットＩＤ（Ｉｎｔｅｒ  ＭＳＣ  Ｃｉｒｃｕｉｔ  ＩＤ）を含めて送ることに加えて、ハンドオーバー遂行中の移動通信端末が応答待ち状態である旨を示す情報をさらに含めて送る。このために、図１１に示すパラメータのうちハンドオーバー状態を示すパラメータを応答待ち状態である旨を示す識別子として設定する。
【００６４】
一方、非同期交換機３２０とノードＢ／ＲＮＣ３１０との接続が解放されるステップ（Ｓ３２３）後、着信移動通信端末１０ｂが応答すると、着信移動通信端末１０ｂが接続されたノードＢ／ＲＮＣが非同期交換機２２０にこれを報告し（Ｓ３２４）、非同期交換機は相互連動運用部６０に順方向アクセス信号を送る（Ｓ３２５）。
【００６５】
これにより、相互連動運用部６０は着信端末が応答した旨を認知して同期交換機３２０にインターシステム応答メッセージ（Ｉｎｔｅｒｓｙｓｔｅｍ  Ａｎｓｗｅｒ）を送り（Ｓ３２６）、次いで、同期交換機３２０は基地局制御器／基地局３１０に着信端末が応答した旨を報告する一方（Ｓ３２７）、相互連動運用部６０にインターシステム応答メッセージに対する応答メッセージ（Ｉｎｔｅｒｓｙｓｔｅｍ  Ａｎｓｗｅｒ  Ａｃｋ）を送る（Ｓ３２８）。
【００６６】
インターシステム応答メッセージ（Ｉｎｔｅｒｓｙｓｔｅｍ  Ａｎｓｗｅｒ）は、図２０に示すように、内部ＭＳＣサーキットＩＤ、ＭＩＮ、ＥＳＮなどのパラメータを含む。上述した手続きにより非同期移動通信システムにおいて応答待ち中の移動通信端末に対する同期移動通信システムへのハンドオーバーが完了され、着信移動通信端末が応答して発信者と着信者との間に通話が開始された後、呼を解放する過程を説明すれば、次の通りである。
【００６７】
呼解放は非同期移動通信システム領域にある加入者の移動通信端末から先に要請されてもよく、同期移動通信システム領域にハンドオーバーした加入者の移動通信端末から先に要請されてもよい。
【００６８】
いずれの側から呼解放要請が受信されるにせよ、呼解放要請を受信した交換機２２０または３２０が相互連動運用部６０に呼解放要請メッセージ（Facilities Release）を送り、相互連動運用部６０がこれに応答することにより、交換機間に設定されていた中継線が解放される。ここで、呼解放要請メッセージ（Ｆａｃｉｌｉｔｉｅｓ  Ｒｅｌｅａｓｅ）は、図１８に示すように、内部ＭＳＣサーキットＩＤ、解放理由、ビリングＩＤ、ＭＩＮなどのパラメータを含み、その応答メッセージ（Ｆａｃｉｌｉｔｉｅｓ  Ａｃｋ）はビリングＩＤなどのパラメータを含む。
【００６９】
この実施形態において、非同期領域に位置している移動通信端末が応答待ち状態において同期網領域に移動するに伴い、ＲＮＣは非同期交換機にハンドオーバーを要請し、非同期交換機は非同期移動通信システム内におけるハンドオーバーであるか、あるいは、同期移動通信システムへのハンドオーバーであるかを決める。また、同期移動通信システムへのハンドオーバーであると確認された場合、相互連動運用部（ＩＩＦ）をコンバーターとして同期移動通信システムの交換機とメッセージを送受信しながら、ハンドオーバーが行われるようにし、このとき、ハンドオーバーの対象となる移動通信端末が応答待ち状態である旨を報知する。
【００７０】
同期移動通信システムへのハンドオーバーが完了されて着信移動通信端末が応答すれば、非同期交換機は相互連動運用部に着信移動通信端末が応答した旨を報知し、これにより、相互連動運用部が同期交換機にインターシステム応答メッセージを送って着信移動通信端末がアラートに応答した旨を報知してハンドオーバーが完全になされるようにする。
【００７１】
以上、本発明について詳細に説明したが、本発明が属する技術分野における通常の知識を持った者であれば、本発明がその技術的な思想や必須的な特徴を変えることなく、他の具体的な形態で実施可能であることは理解できるであろう。よって、上述した実施形態はあらゆる面において例示的なものに過ぎず、限定的なものではないと理解さるべきである。本発明の範囲は上述した説明よりは後述する特許請求の範囲により開示され、特許請求の範囲の意味及び範囲、さらには、その等価概念から導き出されるあらゆる変更または変形された形態が本発明の範囲に含まれるものとして解釈すべきである。
【産業上の利用可能性】
【００７２】
以上述べたように、本発明は、非同期移動通信システムが同期移動通信システムに重なり合い、デュアルバンド・デュアルモードの移動通信端末が非同期移動通信システム領域から同期移動通信システム領域に移動する場合、サービスが途切れることのないハンドオーバーを行うことにより、世代間のサービス差を克服して良質なサービスを提供することができる。
【００７３】
また、非同期移動通信システムを余計に広い領域に渡って実現しなくてもよいことから、非同期移動通信システムの設計に要される投資費を節減することができる。
【図面の簡単な説明】
【００７４】
【図１】本発明が適用される移動通信網の構成図である。
【図２】本発明の一実施形態による非同期網と同期網との間のハンドオーバー方法を説明するための概念図である。
【図３】本発明の一実施形態による非同期網と同期網との間のハンドオーバー方法を説明するためのフローチャートである。
【図４】本発明の他の実施形態による非同期網と同期網との間のハンドオーバー方法を説明するための概念図である。
【図５】本発明の他の実施形態による非同期網と同期網との間のハンドオーバー方法を説明するためのフローチャートである。
【図６】本発明のさらに他の実施形態による非同期網と同期網との間のハンドオーバー方法を説明するための概念図である。
【図７】本発明のさらに他の実施形態による非同期網と同期網との間のハンドオーバー方法を説明するためのフローチャートである。
【図８】本発明によるハンドオーバー方法に必要なメッセージに含まれるパラメータを示す図である。
【図９】本発明によるハンドオーバー方法に必要なメッセージに含まれるパラメータを示す図である。
【図１０Ａ】本発明によるハンドオーバー方法に必要なメッセージに含まれるパラメータを示す図である。
【図１０Ｂ】本発明によるハンドオーバー方法に必要なメッセージに含まれるパラメータを示す図である。
【図１１】本発明によるハンドオーバー方法に必要なメッセージに含まれるパラメータを示す図である。
【図１２】本発明によるハンドオーバー方法に必要なメッセージに含まれるパラメータを示す図である。
【図１３】本発明によるハンドオーバー方法に必要なメッセージに含まれるパラメータを示す図である。
【図１４】本発明によるハンドオーバー方法に必要なメッセージに含まれるパラメータを示す図である。
【図１５】本発明によるハンドオーバー方法に必要なメッセージに含まれるパラメータを示す図である。
【図１６】本発明によるハンドオーバー方法に必要なメッセージに含まれるパラメータを示す図である。
【図１７】本発明によるハンドオーバー方法に必要なメッセージに含まれるパラメータを示す図である。
【図１８】本発明によるハンドオーバー方法に必要なメッセージに含まれるパラメータを示す図である。
【図１９】本発明によるハンドオーバー方法に必要なメッセージに含まれるパラメータを示す図である。
【図２０】本発明によるハンドオーバー方法に必要なメッセージに含まれるパラメータを示す図である。
【符号の説明】
【００７５】
１０  ＤＢＤＭ移動通信端末
２０  非同期移動通信システム
３０  同期移動通信システム
４０  Ｎｏ．７共通信号網
５０  デュアルスタック・ホーム位置登録器
６０  相互連動運用部
７０  ＩＰ網２１０  ノードＢ／無線網制御器
２２０  非同期交換機
２３０  ＳＧＳＮ
２４０  ＧＰＲＳ網
２５０  ＧＧＳＮ
３１０  基地局／基地局制御器
３２０  交換機
３３０  パケットデータサービスノード
３４０  データコア網
【図１】
2011142650.tif 000003
【図２】
2011142650.tif 000004
【図３】
2011142650.tif 000005
【図４】
2011142650.tif 000006
【図５】
2011142650.tif 000007
【図６】
2011142650.tif 000008
【図７】
2011142650.tif 000009
【図８】
2011142650.tif 000010
【図９】
2011142650.tif 000011
【図１０Ａ】
2011142650.tif 000012
【図１０Ｂ】
2011142650.tif 000013
【図１１】
2011142650.tif 000014
【図１２】
2011142650.tif 000015
【図１３】
2011142650.tif 000016
【図１４】
2011142650.tif 000017
【図１５】
2011142650.tif 000018
【図１６】
2011142650.tif 000019
【図１７】
2011142650.tif 000020
【図１８】
2011142650.tif 000021
【図１９】
2011142650.tif 000022
【図２０】
2011142650.tif 000023